(57)【要約】【課題】防犯・空調上の安全性に優れた仮設建築物を提供する。【解決手段】コンテナにおける奥行方向の両側面が取り除かれた第１コンテナ部材１と、第１コンテナ部材１に対して離れて配置される、コンテナにおける奥行方向の一側面が取り除かれた第２コンテナ部材２と、第１、第２コンテナ部材１、２の双方と重なるように配置される、第１、第２コンテナ部材１、２よりも幅及び高さが大きい、コンテナにおける奥行方向の両側面と下面とが取り除かれた第３コンテナ部材３と、を備えた仮設建築物Ａ。【選択図】図１
2009108610.tif 000002
【特許請求の範囲】
【請求項１】
コンテナにおける奥行方向の両側面が取り除かれた第１コンテナ部材と、
前記第１コンテナ部材に対して離れて配置される、コンテナにおける奥行方向の一側面が取り除かれた第２コンテナ部材と、
前記第１、第２コンテナ部材の双方と重なるように配置される、前記第１、第２コンテナ部材よりも幅及び高さが大きい、コンテナにおける奥行方向の両側面と下面とが取り除かれた第３コンテナ部材と、
を備えたことを特徴とする仮設建築物。
【請求項２】
請求項１に記載の仮設建築物において、さらに、前記第１コンテナ部材に遮蔽部材が取り付けられていることを特徴とする仮設建築物。
【請求項３】
仮設車庫、仮設シアター、仮設休憩所、または仮設倉庫であることを特徴とする請求項１または請求項２に記載の仮設建築物。
【発明の詳細な説明】
【技術分野】
【０００１】
本発明は、仮設建築物に関する。
【背景技術】
【０００２】
従来、２つの搬送用コンテナを用いた車庫が提案された。この従来の車庫は、２つの搬送用コンテナを所定の間隔を保って設置するとともに、その間隔を板材で閉塞したものである（特許文献１参照）。
【特許文献１】特開２００３−９７０７３号公報
【発明の開示】
【発明が解決しようとする課題】
【０００３】
しかしながら、この従来の車庫は、車庫内部の空間が閉じ塞がれているため、防犯・空調上の安全性に問題があった。
そこで、本発明は、防犯・空調上の安全性に優れた仮設建築物を提供することを目的とする。
【課題を解決するための手段】
【０００４】
本発明によれば、上記課題は、次の手段により解決される。
【０００５】
本発明は、コンテナにおける奥行方向の両側面が取り除かれた第１コンテナ部材と、前記第１コンテナ部材に対して離れて配置される、コンテナにおける奥行方向の一側面が取り除かれた第２コンテナ部材と、前記第１、第２コンテナ部材の双方と重なるように配置される、前記第１、第２コンテナ部材よりも幅及び高さが大きい、コンテナにおける奥行方向の両側面と下面とが取り除かれた第３コンテナ部材と、を備えたことを特徴とする仮設建築物である。
【０００６】
本発明に係る仮設建築物においては、第１コンテナ部材と第２コンテナ部材とが離れて配置され、この離れて配置された第１、第２コンテナ部材よりも幅及び高さが大きい第３コンテナ部材が、第１、第２コンテナ部材の双方と重なるように配置される。
【０００７】
このため、本発明に係る仮設建築物によれば、第１コンテナ部材と第２コンテナ部材との間、及び第１、２コンテナ部材と第３コンテナ部材との間に「隙」が形成される。
【０００８】
本発明によれば、この「隙」を通って、仮設建築物の内部で生じた人の声や物音や空気（例：二酸化炭素）などが仮設建築物の外部に流出し、仮設建築物の外部における人の声や物音や空気（例：酸素）などが仮設建築物の内部に流入する。
【０００９】
したがって、本発明に係る仮設建築物によれば、密室ではあるが開放されている空間（開放密室）を形成することが可能となる。
【００１０】
なお、「開放密室」とは、人の侵入は不可能とされるが、人の声、物音、空気などの流出入は可能とされる空間をいう。
【００１１】
本発明に係る仮設建築物においては、さらに、前記第１コンテナ部材に遮蔽部材が取り付けられていることが好ましい。このようにすれば、開放密室を容易に形成することができる。
【００１２】
本発明に係る仮設建築物は、特に、仮設車庫、仮設シアター、仮設休憩所、または仮設倉庫として用いることが好ましい。仮設車庫、仮設シアター、仮設休憩所、および仮設倉庫においては、防犯・空調上の観点から、内部空間を開放密室として形成することが好ましいからである。
【発明の効果】
【００１３】
本発明によれば、防犯・空調上の安全性に優れた仮設建築物を提供することできる。
【発明を実施するための最良の形態】
【００１４】
以下に、添付した図面を参照しつつ、本発明を実施するための最良の形態を詳細に説明する。
【００１５】
［全体構成］
図１は、本発明の実施形態に係る仮設建築物Ａの概略透過斜視図であり、図１（ａ）はシャッターが開いている状態を示し、図１（ｂ）はシャッターが閉じている状態を示している。また、図２は、本発明の実施形態に係る仮設建築物Ａの概略正面図（ａ）、概略側面図（ｂ）、概略上面図（ｃ）である。
【００１６】
図１、２に示すように、本発明の実施形態に係る仮設建築物Ａは、第１コンテナ部材１と、第２コンテナ部材２と、第３コンテナ部材３と、シャッター４と、シャッターストッパー５ａ、５ｂと、網６と、を備えている。
【００１７】
この実施形態に係る仮設建築物Ａにおいては、第１コンテナ部材１と第２コンテナ部材２とが離れて配置され、この離れて配置された第１、第２コンテナ部材１、２よりも幅（ｘ軸方向の長さ）及び高さ（ｚ軸方向の長さ）が大きい第３コンテナ部材３が、第１、第２コンテナ部材１、２の双方と重なるように配置される。
【００１８】
このため、この実施形態に係る仮設建築物Ａによれば、第１コンテナ部材１と第２コンテナ部材２との間、及び第１、２コンテナ部材１、２と第３コンテナ部材３との間に「隙」が形成される。
【００１９】
この実施形態によれば、この「隙」を通って、仮設建築物Ａの内部で生じた人の声や物音や空気（例：二酸化炭素）などが仮設建築物Ａの外部に流出し、仮設建築物Ａの外部における人の声や物音や空気（例：酸素）などが仮設建築物Ａの内部に流入する。
【００２０】
したがって、この実施形態に係る仮設建築物Ａによれば、シャッター４を閉じることによって、開放密室を形成することが可能となる。
【００２１】
［各部材］
以下、実施形態に係る仮設建築物Ａが備える各部材について詳説する。
【００２２】
（第１コンテナ部材１）
第１コンテナ部材１は、コンテナにおける奥行方向（ｙ軸方向）の両側面と下面とが取り除かれた部材である。
【００２３】
（第２コンテナ部材２）
第２コンテナ部材２は、コンテナにおける奥行方向（ｙ軸方向）の一側面と下面とが取り除かれた部材である。この第２コンテナ部材２は、側面の無い側が第１コンテナ部材１と対向するように、第１コンテナ部材１に対して離れて配置される。これにより、第１コンテナ部材１と第２コンテナ部材２とは、所定の間隔だけ離れることになる。この所定の間隔は、第３コンテナ部材３の奥行（ｙ軸方向の長さ）よりも短い。なお、この第２コンテナ部材２には、扉７が形成されている。
【００２４】
（第３コンテナ部材３）
第３コンテナ部材３は、コンテナにおける奥行方向（ｙ軸方向）の両側面と下面とが取り除かれた部材である。この第３コンテナ部材３は、第１、第２コンテナ部材１、２よりも幅（ｘ軸方向の長さ）がΔｘ１、Δｘ２だけ大きい。また、この第３コンテナ部材３は、第１、第２コンテナ部材１、２よりも高さ（ｚ軸方向の長さ）がΔｚだけ大きい。さらに、この第３コンテナ部材３は、奥行方向（ｙ軸方向）において、第１、第２コンテナ部材１、２に対して、それぞれΔｙ１、Δｙ２だけ重なるように配置される。
【００２５】
（シャッター４）
シャッター４は、遮蔽部材の一例であり、第１コンテナ部材１の正面側の上部に取り付けられる。このシャッター４を閉じることにより、実施形態に係る仮設建築物Ａに開放密室が形成される。
【００２６】
（シャッターストッパー５ａ、５ｂ）
シャッターストッパー５ａ、５ｂは、全閉防止部材の一例であり、第１コンテナ部材１の正面内側の下部に取り付けられる。このシャッターストッパー５ａ、５ｂにより、シャッター４の全閉が防止される。これにより、仮設建築物Ａが、より一層、開放密室化する。なお、このシャッターストッパー５ａ、５ｂは、回動可能に構成されており、車の乗り入れや荷物の運搬などに際して、邪魔にならない。
【００２７】
（網６）
網６は、第１コンテナ部材１と第２コンテナ部材２との間、及び第１、２コンテナ部材１、２と第３コンテナ部材３との間に取り付けられる。これにより、第１コンテナ部材１と第２コンテナ部材２との間に形成された「隙」や第１、２コンテナ部材１、２と第３コンテナ部材３との間に形成された「隙」を通って、虫やゴミ（紙くずやビニール袋など）などが仮設建築物Ａに入り込むことが防止される。
【００２８】
また、本発明の実施形態に係る仮設建築物Ａにおいては、網６が、シャッター４と地面との間にも取り付けられており、シャッター４と地面との間に形成された「隙」を通って、虫やゴミ（紙くずやビニール袋など）などが仮設建築物Ａに入り込むことも防止される。
シャッター４と地面との間に取り付けられる網６は、シャッター４を閉じた後に、シャッター４とシャッターストッパー５ａ、５ｂとに取り付けることもできるが、シャッターストッパー５ａ、５ｂのいずれか一方又は双方の内部や側面などに折り畳んだ状態で配置しておき、この状態から引き出して使用したり、あらかじめシャッター４の下部に取り付けておいたりすれば、仮設建築物Ａの利用者などによる作業が軽減でき、好ましい。
シャッター４と地面との間に取り付けられる網６は、シャッター４を閉じるすべての場合に使用してもよいし、営業時間外などの仮設建築物Ａが使用されていないときにのみ使用してもよい。
【００２９】
なお、この網６は、樹脂、アルミ、ステンレスなどにより構成することができる。
【００３０】
［製造方法］
図３は、本発明の実施形態に係る仮設建築物Ａの製造方法の概略を示す図である。
【００３１】
図３に示すように、本発明の実施形態においては、まず、第３コンテナ部材３が、離れて配置されている第１、第２コンテナ部材１、２の双方と重なるように配置される（ステップＳ１）。
【００３２】
次に、シャッター４が、第１コンテナ部材１の正面側の上部に取り付けられる（ステップＳ２）。
【００３３】
次に、シャッターストッパー５ａ、５ｂが、第１コンテナ部材１の正面内側の下部に取り付けられる（ステップＳ３）。
【００３４】
そして、網６が、第１コンテナ部材１と第２コンテナ部材２と第３コンテナ部材３とに取り付けられ、また、シャッター４とシャッターストッパー５ａ、５ｂとに取り付けられる（ステップＳ４）。
【００３５】
なお、上記の説明では、コンテナにおける側面・下面の全領域が取り除かれる形態について説明した。しかしながら、本発明には、コンテナにおける側面・下面の一部領域のみが取り除かれる形態も含まれる。
【００３６】
第１、第２コンテナ部材は、下面を取り除かれていないコンテナにより構成されてもよいが、上記実施形態のように、下面を取り除かれたコンテナにより構成されることが好ましい。このようにすれば、仮設建築物と地面との間における段差がなくなり、車の乗り入れや荷物の運搬などが容易になる。
【００３７】
上記した実施形態に係る仮設建築物Ａにおいて、第３コンテナ部材３は、剥落などするということがない。
また、上記した実施形態に係る仮設建築物Ａにおいて、第３コンテナ部材３は、離れて配置されている第１、第２コンテナ部材１、２の双方と重なっているため、倒れかけた場合、第１、第２コンテナ部材１、２に支持される。さらに、第１、第２コンテナ部材１、２も、第３コンテナ部材３を重ねられているため、倒れかけた場合、第３コンテナ部材３に支持される。
このように、本発明の実施形態に係る仮設建築物Ａは、第１、第２、第３コンテナ部材１、２、３間の相互支持によって、倒壊の防止が図られている。
【００３８】
仮設としての利便性を高めるべく、第３コンテナ部材３は、第１、第２コンテナ部材１、２に接合（溶接など）されないことが好ましい。
【００３９】
なお、上記では、仮設建築物Ａがシャッター４を備える形態について説明したが、本発明には、仮設建築物Ａがシャッター４などの遮蔽部材を備えない形態も含まれる。この場合であっても、遮蔽部材を取り付けさえすれば、直ち且つ容易に開放密室を形成できるからである。
【００４０】
また、上記では、仮設建築物Ａがシャッターストッパー５ａ、５ｂを備える形態について説明したが、本発明には、仮設建築物Ａがシャッターストッパー５ａ、５ｂなどの全閉防止部材を備えない形態も含まれる。
【００４１】
また、上記では、仮設建築物Ａが網６を備える形態について説明したが、本発明には、仮設建築物Ａが網６を備えない形態も含まれる。
【実施例１】
【００４２】
次に、実施例１に係る仮設建築物について説明する。実施例１に係る仮設建築物は、上記した実施形態に係る仮設建築物Ａの一例である。
【００４３】
第１、第２、第３コンテナ部材の寸法は、それぞれ、次の通りとする。
（１）第１コンテナ部材１：奥行２３００ｍｍ×幅３６００ｍｍ×高さ２５９１ｍｍ
（２）第２コンテナ部材２：奥行２３００ｍｍ×幅３６００ｍｍ×高さ２５９１ｍｍ
（３）第３コンテナ部材３：奥行２３００ｍｍ×幅３９００ｍｍ×高さ２８９６ｍｍ
【００４４】
ここで、Δｘ１、Δｘ２はそれぞれ１５０ｍｍとし、Δｙ１、Δｙ２はそれぞれ４００ｍｍとし、Δｚは３０５ｍｍとする。
【００４５】
Δｘ１、Δｘ２がそれぞれ１５０ｍｍであるので、仮設建築物Ａの側部における隙を通って、人が仮設建築物Ａに侵入することはできない。
また、Δｚが３０５ｍｍであるので、仮設建築物Ａの上部における隙を通って、人が仮設建築物Ａに侵入することもできない。
【００４６】
しかしながら、人の声、物音、空気などは、上記の隙を通って、実施例１に係る仮設建築物Ａに流出入することができる。
【００４７】
したがって、実施例１に係る仮設建築物Ａは、人の侵入は不可能とされるが、人の声、物音、空気などの流出入は可能とされる空間（開放密室）が形成できるように構成されている。
【００４８】
以上、本発明の実施の形態について説明したが、これらの説明は本発明の一例に関する説明であり、本発明は上記説明によって何ら限定されるものではない。
【産業上の利用可能性】
【００４９】
本発明に係る仮設建築物は、様々な用途に用いることができるが、特に、仮設車庫、仮設シアター、仮設休憩所、または仮設倉庫として用いることが好ましい。仮設車庫、仮設シアター、仮設休憩所、および仮設倉庫においては、防犯上、空調上の観点から、内部空間を開放密室として形成することが好ましいからである。
【図面の簡単な説明】
【００５０】
【図１】本発明の実施形態に係る仮設建築物Ａの概略透過斜視図である。
【図２】本発明の実施形態に係る仮設建築物Ａの概略正面図（ａ）、概略側面図（ｂ）、概略上面図（ｃ）である。
【図３】本発明の実施形態に係る仮設建築物Ａの製造方法の概略を示す図である。
【符号の説明】
【００５１】
Ａ    仮設建築物
１    第１コンテナ部材
２    第２コンテナ部材
３    第３コンテナ部材
４    シャッター
５ａ、５ｂ    シャッターストッパー
６    網
７    扉
【図１】
2009108610.tif 000003
【図２】
2009108610.tif 000004
【図３】
2009108610.tif 000005